(57)【要約】【課題】  装置を大型化することなく、絞り装置で開口形状を円形と楕円形に切り替えることができる絞り装置及びそれを有するレンズ装置及び撮影装置を提供すること。【解決手段】  複数枚の絞り羽根と、回転部材と、カム溝を有する固定カム部材と、カム溝を有する可動カム板と、前記固定カム部材の前記カム溝は第一のカム軌跡、第二のカム軌跡を有し、前記可動カム板の前記カム溝は第一のカム軌跡、第二のカム軌跡を有する絞り装置において、前記可動カム板が第一の位置にあるとき、前記駆動ピンは、前記固定カム部材の前記第一のカム軌跡、及び前記可動カム板の前記第一のカム軌跡と当接し、前記可動カム板が第二の位置にあるとき、前記駆動ピンは、前記固定カム部材の前記第二のカム軌跡、及び前記可動カム板の前記第二のカム軌跡と当接を切り替える絞りモード切替機構を備えることを特徴とする。【選択図】  図４
2020204628.tif 000002
【特許請求の範囲】
【請求項１】
駆動ピンと回転中心が固定された複数枚の絞り羽根と、
前記絞り羽根の前記回転中心に係合する穴を有する回転部材と、
前記絞り羽根の前記駆動ピンに係合するカム溝を有する固定カム部材と、
前記絞り羽根の前記駆動ピンに係合するカム溝を有する可動カム板と、
前記固定カム部材の前記カム溝は第一のカム軌跡、第二のカム軌跡を有し、
前記可動カム板の前記カム溝は第一のカム軌跡、第二のカム軌跡を有する絞り装置において、
前記絞り装置は、
前記固定カム部材に対して前記可動カム板が第一の位置にあるとき、
前記駆動ピンは、前記固定カム部材の前記第一のカム軌跡、及び前記可動カム板の前記第一のカム軌跡と当接し、
前記固定カム部材に対して前記可動カム板が第二の位置にあるとき、
前記駆動ピンは、前記固定カム部材の前記第二のカム軌跡、及び前記可動カム板の前記第二のカム軌跡と当接を切り替える絞りモード切替機構を備えることを特徴とする絞り装置。
【請求項２】
前記絞りモード切替機構は、前記固定カム部材に対して、前記可動カム板を回動させることで、前記第一の位置、前記第二の位置に切り替えさせることを特徴とする請求項１に記載の絞り装置。
【請求項３】
前記第一のカム軌跡により円形の開口形状を形成し、前記第二のカム軌跡により楕円形の開口形状を形成することを特徴とする請求項３に記載の絞り装置。
【発明の詳細な説明】
【技術分野】
【０００１】
本発明は、撮影用レンズ装置に用いられる絞り装置に関し、特に回転操作によって絞り開口径が変化する絞装置及びそれを有するレンズ装置及び撮影装置に関する。
【背景技術】
【０００２】
従来より、回転軸を備えた複数枚の絞り羽根を同一円周上に等角度間隔に配置し、絞り羽根の回転軸周りの回動によって絞り羽根内縁部の重なりで形成される絞り開口を変化させる絞り装置が知られている。
【０００３】
絞り開口形状は撮影映像における被写体の周辺のボケ味の良さに影響し、一般的に綺麗なボケ像を得られることから、円形に近い絞り開口形状が求められている。一方で、アナモフィックレンズの独特な楕円形状ボケ像を求める撮影者も存在する。
【０００４】
ここで撮影者が一つの撮影装置を使用して、撮影時に得たいボケ像に応じて円形と楕円形の開口形状を切り替える場合、特許文献１に示すように複数の絞り開口形状を選択する構造が提案されている。
【先行技術文献】
【特許文献】
【０００５】
【特許文献１】特開平０４−２６９７２７号公報
【発明の概要】
【発明が解決しようとする課題】
【０００６】
上記の特許文献１によると、開口形状を切り替える構造は、複数の開口形状をそれぞれ専用の形状として持つ絞り開口部を構成しているために、撮影装置の小型化の妨げになる。
【０００７】
そこで、本発明の目的は、装置を大型化することなく、絞り装置で開口形状を円形と楕円形に切り替えることができる絞り装置及びそれを有するレンズ装置及び撮影装置を提供することにある。
【課題を解決するための手段】
【０００８】
上記の目的を達成するために、本発明に係る絞り装置は、
駆動ピンと回転中心が固定された複数枚の絞り羽根と、前記絞り羽根の前記回転中心に係合する穴を有する回転部材と、前記絞り羽根の前記駆動ピンに係合するカム溝を有する固定カム部材と、前記絞り羽根の前記駆動ピンに係合するカム溝を有する可動カム板と、前記固定カム部材の前記カム溝は第一のカム軌跡、第二のカム軌跡を有し、前記可動カム板の前記カム溝は第一のカム軌跡、第二のカム軌跡を有する絞り装置において、前記絞り装置は、前記固定カム部材に対して前記可動カム板が第一の位置にあるとき、前記駆動ピンは、前記固定カム部材の前記第一のカム軌跡、及び前記可動カム板の前記第一のカム軌跡と当接し、前記固定カム部材に対して前記可動カム板が第二の位置にあるとき、前記駆動ピンは、前記固定カム部材の前記第二のカム軌跡、及び前記可動カム板の前記第二のカム軌跡と当接を切り替える絞りモード切替機構を備えることを特徴としている。
【発明の効果】
【０００９】
本発明によれば、装置を大型化することなく、絞り装置で開口形状を円形と楕円形に切り替えることができる絞り装置及びそれを有するレンズ装置及び撮影装置を提供するものである。
【図面の簡単な説明】
【００１０】
【図１】ズームレンズ系全体の構成を示す図
【図２】本発明の実施例１における絞り装置の分解斜視図
【図３】本発明の実施例１における絞り羽根の駆動ピン側からの視図
【図４】本発明の実施例１における絞り装置のＢ−Ｂ断面図
【図５】本発明の実施例１における絞り装置のアイリス操作環表示部の拡大図
【図６】本発明の実施例１における絞り装置の第一の位置（絞り開口形が楕円）を示す図
【図７】本発明の実施例１における絞り装置の第一の位置のＣ部拡大図
【図８】本発明の実施例１における絞り装置の第一の位置の詳細図
【図９】本発明の実施例１における絞り装置の第二の位置（絞り開口形が楕円形）を示す図
【図１０】本発明の実施例１における絞り装置の第二の位置のＤ部拡大図
【図１１】本発明の実施例１における絞り装置の第二の位置の詳細図
【図１２】本発明の実施例１における絞り装置のアイリス操作環表示部の拡大図
【発明を実施するための形態】
【００１１】
以下に、本発明を実施するための形態について、図面を参照しながら詳細に説明する。
【実施例１】
【００１２】
図１はズームレンズ系全体の構成を示す図、図２は本発明の実施例１における絞り装置の分解斜視図、図３は本発明の実施例１における絞り羽根の駆動ピン側からの視図、図４は本発明の実施例１における絞り装置のＢ−Ｂ断面図。図５は本発明の実施例１における絞り装置のアイリス操作環表示部の拡大図、図６は本発明の実施例１における絞り装置の第一の位置（絞り開口形が楕円）を示す図、図７は本発明の実施例１における絞り装置の第一の位置のＣ部拡大図である。図８は本発明の実施例１における絞り装置の第一の位置の詳細図、図９は本発明の実施例１における絞り装置の第一の位置（絞り開口形が楕円形）を示す図、図１０は本発明の実施例１における絞り装置の第一の位置のＤ部拡大図である。図１１は本発明の実施例１における絞り装置の第一の位置の詳細図、図１２は本発明の実施例１における絞り装置のアイリス操作環表示部の拡大図である。
【００１３】
（光学機器）
図１を参照して、本実施例のズームレンズ系全体の構成について説明する。
【００１４】
レンズ装置１はフォーカス操作環２を回動することで不図示の光学移動群が光軸Ａ方向に移動しフォーカス調整がなされ、ズーム操作環３を回動することで不図示の光学移動群が光軸Ａ方向に移動しズーム調整がなされる。また、アイリス操作環４を回動することで絞り径が変化し光量を調整できる構造となっている。また、フランジバック操作環５または、マクロ操作環６を回動させることにより、不図示の光学移動群が光軸Ａ方向に移動し撮像素子までの合焦距離を調整する構造となっている。
【００１５】
以上が、ズームレンズ系全体の構成である。
【００１６】
（絞り装置）
次に、図１、図２、図３、図４、図５、図６を参照して、レンズ装置１の内部構造である、絞り装置７に関して説明する。
【００１７】
絞り装置７は、不図示のフォーカスやズーム、リレー部といったレンズ群の開口径を決めており、絞り開口形状を連続的に変化させる絞り駆動部である。絞り装置７は、手動操作ができ、モータや回転操作部材と連結するアイリス操作環４が構成される。アイリス操作環４は、不図示のレンズ群と前後で連結する固定筒８の外形を擦動回転し、固定筒８に不図示の固定ビスで連結されているアイリス操作環押さえ９、及びアイリス操作環押さえ１０によって光軸方向の位置規制されている。アイリス操作環４には明るさを示すアイリス操作環表示部４ａが表示されている。
【００１８】
撮影者は、アイリス操作環４を回転し、所望の明るさになるようにアイリス操作環表示部４ａの数値をアイリス操作環４の数値をアイリス操作環押さえ９に印刷や彫刻によって刻まれた指標線１１に合わせればよい。
【００１９】
アイリス操作環４には、連結軸１２が固定されており、連結軸１２の先端は回転部材１３と一体となって設けられている連結穴１３ａと係合する。回転部材１３は、固定カム部材１４の内径を擦動回転し、光軸Ａ方向の位置規制は押さえ金具１５でされる。押さえ金具１５はＣリング状になっており、固定カム筒１４の内径にＣリングの開口部を挟めるように変形させて挿入し、その変形を開放して元の形状に戻すことで、固定カム部材１４に固定する。
【００２０】
図４に示す、固定カム部材１４に収納している複数枚の絞り羽根１６には、回転部材１３のピン穴１３ｂと係合する回転中心ピン１６ａと、固定カム部材１４に設けられたカム溝１４ａに係合する駆動ピン１６ｂが一体となって構成されている。駆動ピン１６ｂは固定カム部材１４から突出し、可動カム板１７に設けられたカム溝１７ａとも係合する。図６に示す、可動カム板１７は、光軸Ａを中心とした円弧溝１８を有し、固定カム部材１４に配された位置規制ピン１９をガイドにして、固定カム部材１４の表面を回転可能に保持される。
【００２１】
（絞りモード切替機構の構成）
次に、絞り装置７に設けた、絞りモード切替機構の構成を図２、図４、図８を用いて以下に説明する。
【００２２】
固定筒８に設けられた溝８ａをガイドにして光軸Ａまわりに回動が可能なモード切替板２０には、モード切替軸２１が固定され、モード切替軸２１の先端は可動カム板１７と一体となって設けられている連結穴２２と係合する。モード切替板２０には係止ピン２３が固定されており、図８に示すアイリス操作環４の係止壁４ｂと当接すること、アイリス操作環４の回転規制がされる。アイリス操作環押さえ１０にはモード切替軸２１が露出するように溝１０ａが設けられており、撮影者はモード切替軸２１を選択的に操作することが可能である。モード切替軸２１はアイリス操作環押さえ１０の溝１０ａの端で回転規制がなされる。
【００２３】
（円形と楕円形の開口形状の切り替え方法）
次に、円形と楕円形の開口形状の切り替え方法について図５、図６、図７、図８、図９、図１０、図１１、図１２を用いて以下に説明する。
【００２４】
図６に示すモード切替軸２１をアイリス操作環押さえ１０に図示のＡＮ（絞り開口形が楕円形）へ切り替えた場合（矢印２４方向）、モード切替軸２１と連結されている可動カム板１７は、矢印２５方向に回動する。これにより、図７に示す駆動ピン１６ｂは固定カム部材１４に設けられた溝１４ａの第一のカム軌跡１４ｂと係合し、可動カム部材１７に設けられた溝１７ａの第一のカム軌跡１７ｂと係合する（第一の位置）。第一のカム軌跡１４ｂ、第一のカム軌跡１７ｂは楕円形の開口形状となるカム軌跡となるため、第一の位置において、撮影者はアナモフィックレンズの独特な楕円形状ボケ像を得ることができる。このとき、図８に示すモード切替軸２１と一体的に係止ピン２３が矢印２６方向に移動し、図５に示すアイリス操作環表示部４ａのＡＮ（絞り開口形が楕円形）の指標Ｅを撮影者は使用することが可能となる。
【００２５】
図９に示すモード切替軸２１をアイリス操作環押さえ１０に図示のＢＣ（円形の開口形状）へ切り替えた場合（矢印２７方向）、モード切替軸２１と連結されている可動カム板１７は、矢印２８方向に回動する。れにより、図１０に示す駆動ピン１６ｂは固定カム部材１４に設けられた溝１４ａの第二のカム軌跡１４ｃと係合し、可動カム部材１７に設けられた溝１７ａの第二のカム軌跡１７ｃと係合する（第二の位置）。第二のカム軌跡１４ｃ、第二のカム軌跡１７ｃは円形の開口形状となるカム軌跡となるため、第二の位置において、撮影者は円形状ボケ像を得ることができる。このとき、図１１に示すモード切替軸２１と一体的に係止ピン２３が矢印２９方向に移動し、図１２に示すアイリス操作環表示部４ａのＢＣ（円形の開口形状）の指標Ｆを撮影者は使用することが可能となる。
【００２６】
（円形と楕円形の開口形状の切り替え機構による効果）
次に、円形と楕円形の開口形状の切り替え機構による効果について、以下に説明する。
【００２７】
本実施例の構造により、従来の円形絞り機構部から大きく構成を増やすことなく、絞り装置に円形と楕円形の開口形状の切り替え機構を設けることが可能となるため、小型、軽量化が図れる。
【００２８】
以上、本発明の好ましい実施形態について説明したが、本発明はこの実施形態に限定されず、その要旨の範囲内で種趣の変形及び変更が可能である。
【符号の説明】
【００２９】
１  レンズ装置、２  フォーカス操作環、３  ズーム操作環、
４  アイリス操作環、４ａ  アイリス操作環表示部、４ｂ  係止壁、
５  フランジバック操作環、６  マクロ操作環、７  絞り装置、
８  固定筒、８ａ  溝、９，１０  アイリス操作環押さえ、１０ａ  溝、
１１  指標線、１２  連結軸、１３  回転部材、１３ａ  連結穴、
１３ｂ  ピン穴、１４  固定カム部材、１４ａ  カム溝、
１４ｂ  第一のカム軌跡、１４ｃ  第二のカム軌跡、１５  押さえ金具、
１６  絞り羽根、１６ａ  回転中心ピン、１６ｂ  駆動ピン、
１７  可動カム板、１７ａ  カム溝、１７ｂ  第一のカム軌跡、
１７ｃ  第二のカム軌跡、１８  円弧溝、１９  位置規制ピン、
２０  モード切替板、２１  モード切替軸、２２  溝、
２３  係止ピン、２４，２５，２６，２７，２８，２９  矢印
【図１】
2020204628.tif 000003
【図２】
2020204628.tif 000004
【図３】
2020204628.tif 000005
【図４】
2020204628.tif 000006
【図５】
2020204628.tif 000007
【図６】
2020204628.tif 000008
【図７】
2020204628.tif 000009
【図８】
2020204628.tif 000010
【図９】
2020204628.tif 000011
【図１０】
2020204628.tif 000012
【図１１】
2020204628.tif 000013
【図１２】
2020204628.tif 000014